(57)【要約】【課題】洗浄水の不快な臭いを抑えることができる洗浄装置および洗浄水の消臭方法を提供する。【解決手段】電解水生成手段２が、電解質溶液を電気分解して強酸性水と強アルカリ性水とを生成する。酸性容器３が生成された強酸性水を貯水し、アルカリ容器４が生成された強アルカリ性水を貯水する。ミスト容器５がアルカリ容器４に接続され、アルカリ容器４内の強アルカリ性水の一部を受けて消臭用ミストを生成する。吐出口６ａが、酸性容器３、アルカリ容器４または水道管８に選択的に接続されて、強酸性水、強アルカリ性水または水道水を吐出可能に設けられている。ミスト排出部７が、吐出口６ａから吐出される強酸性水または水道水の周囲に、強酸性水または水道水を包囲するようミスト容器５内の強アルカリ性水の消臭用ミストを噴霧可能に設けられている。【選択図】図１
2010201081.tif 000002
【特許請求の範囲】
【請求項１】
洗浄水を吐出する吐出口と、
前記吐出口から吐出される前記洗浄水を包囲するよう消臭用ミストを噴霧可能なミスト排出部とを、
有することを特徴とする洗浄装置。
【請求項２】
前記洗浄水は水道水または酸性水から成り、
前記消臭用ミストはアルカリ性水から成ることを、
特徴とする請求項１記載の洗浄装置。
【請求項３】
前記ミスト排出部は、前記吐出口からの前記洗浄水の吐出に連動して、前記消臭用ミストを噴霧するよう構成されていることを、特徴とする請求項１または２記載の洗浄装置。
【請求項４】
電解質溶液を電気分解して酸性水とアルカリ性水とを生成する電解水生成手段と、
前記電解水生成手段により生成された前記酸性水を貯水するための酸性容器と、
前記電解水生成手段により生成された前記アルカリ性水を貯水するためのアルカリ容器と、
前記アルカリ容器に接続され、前記アルカリ容器内のアルカリ性水の一部を受けて消臭用ミストを生成するミスト容器と、
前記酸性容器または前記アルカリ容器に選択的に接続されて、前記酸性容器内の酸性水または前記アルカリ容器内のアルカリ性水を吐出可能な吐出口と、
前記吐出口から吐出される前記酸性水を包囲するよう前記ミスト容器内の消臭用ミストを噴霧可能なミスト排出部とを、
有することを特徴とする洗浄装置。
【請求項５】
吐出口から吐出される洗浄水を包囲するよう消臭用ミストを噴霧することを、特徴とする洗浄水の消臭方法。
【請求項６】
前記洗浄水は水道水または酸性水から成り、
前記消臭用ミストはアルカリ性水から成ることを、
特徴とする請求項５記載の洗浄水の消臭方法。
【請求項７】
電解質溶液を電気分解して酸性水とアルカリ性水とを生成し、吐出口から前記酸性水を吐出するとき、吐出する酸性水を包囲するよう前記アルカリ性水の消臭用ミストを噴霧することを、特徴とする洗浄水の消臭方法。
【請求項８】
吐出口から吐出される洗浄水に沿って前記洗浄水と前記洗浄水の使用者とを隔てるよう消臭用ミストを噴霧することを、特徴とする洗浄水の消臭方法。
【発明の詳細な説明】
【技術分野】
【０００１】
本発明は、洗浄装置および洗浄水の消臭方法に関する。
【背景技術】
【０００２】
従来、手洗いや洗顔、食器の洗浄、医療機器の洗浄など、殺菌や消毒のための洗浄水として強酸性水が活用されている（例えば、特許文献１参照）。なお、強酸性水は、水などの電解質溶液を電気分解することにより得られるが、一般には、電解質として塩化ナトリウムなどを利用した塩化物塩水溶液を電気分解することにより生成される。
【先行技術文献】
【特許文献】
【０００３】
【特許文献１】実開平７−３１１８９号公報
【発明の概要】
【発明が解決しようとする課題】
【０００４】
塩化物塩水溶液を電気分解して生成される強酸性水には塩素が含まれているため、特許文献１に記載のような強酸性水生成器では、使用時に塩素臭が発生し、不快であるという課題があった。
【０００５】
本発明は、このような課題に着目してなされたもので、洗浄水の不快な臭いを抑えることができる洗浄装置および洗浄水の消臭方法を提供することを目的としている。
【課題を解決するための手段】
【０００６】
上記目的を達成するために、本発明に係る洗浄装置は、洗浄水を吐出する吐出口と、前記吐出口から吐出される前記洗浄水を包囲するよう消臭用ミストを噴霧可能なミスト排出部とを、有することを特徴とする。
【０００７】
本発明に係る洗浄装置は、吐出口から吐出される洗浄水を包囲するようミスト排出部から消臭用ミストを噴霧することにより、洗浄水の周囲を消臭用ミストで包んで、洗浄水が発する臭いを抑えることができる。このため、洗浄水として酸性水を使用したときに発生する塩素臭などの不快な臭いを効果的に抑えることができる。
【０００８】
本発明に係る洗浄装置で、前記洗浄水は水道水または酸性水から成り、前記消臭用ミストはアルカリ性水から成ることが好ましい。この場合、水道水や酸性水に含まれる塩素による塩素臭をアルカリ性水の消臭用ミストにより抑えることができる。殺菌・消毒・洗浄効果を高めるために、酸性水はｐＨ４以下の強酸性水であることが好ましく、アルカリ性水はｐＨ１０以上の強アルカリ性水であることが好ましい。
【０００９】
本発明に係る洗浄装置で、前記ミスト排出部は、前記吐出口からの前記洗浄水の吐出に連動して、前記消臭用ミストを噴霧するよう構成されていてもよい。この場合、消臭用ミストを無駄に噴霧することなく、効率的に洗浄水の臭いを抑えることができる。洗浄水の吐出と消臭用ミストの噴霧とを連動させる構成は、例えば、洗浄水の吐出を操作する水栓の動きに連動させて、モータなどにより消臭用ミストの噴霧を調整する構成であっても、洗浄水の流れによる吸引力を利用して消臭用ミストを噴霧する構成であってもよい。
【００１０】
本発明に係る洗浄装置は、電解質溶液を電気分解して酸性水とアルカリ性水とを生成する電解水生成手段と、前記電解水生成手段により生成された前記酸性水を貯水するための酸性容器と、前記電解水生成手段により生成された前記アルカリ性水を貯水するためのアルカリ容器と、前記アルカリ容器に接続され、前記アルカリ容器内のアルカリ性水の一部を受けて消臭用ミストを生成するミスト容器と、前記酸性容器または前記アルカリ容器に選択的に接続されて、前記酸性容器内の酸性水または前記アルカリ容器内のアルカリ性水を吐出可能な吐出口と、前記吐出口から吐出される前記酸性水を包囲するよう前記ミスト容器内の消臭用ミストを噴霧可能なミスト排出部とを、有していてもよい。
【００１１】
この電解質溶液を電気分解する構成の場合、電気分解により生成された酸性水およびアルカリ性水を殺菌、消毒、洗浄に利用することができる。また、酸性水を吐出するとき、その酸性水を包囲するようアルカリ性水の消臭用ミストを噴霧することにより、酸性水の不快な塩素臭を抑えることができる。このように、電気分解により生成された酸性水およびアルカリ性水を効率よく利用して、快適かつ安全に洗浄を行うことができる。
【００１２】
本発明に係る洗浄水の消臭方法は、吐出口から吐出される洗浄水を包囲するよう消臭用ミストを噴霧することを、特徴とする。
【００１３】
本発明に係る洗浄水の消臭方法は、本発明に係る洗浄装置により好適に実施することができる。本発明に係る洗浄水の消臭方法は、吐出口から吐出される洗浄水を包囲するよう消臭用ミストを噴霧することにより、洗浄水が発する臭いを抑えることができる。
【００１４】
本発明に係る洗浄水の消臭方法で、前記洗浄水は水道水または酸性水から成り、前記消臭用ミストはアルカリ性水から成ることが好ましい。この場合、水道水や酸性水に含まれる塩素による塩素臭を、アルカリ性水の消臭用ミストにより抑えることができる。また、水道水や酸性水から有毒な塩素ガスが発生したときにも、その塩素ガスをアルカリ性水に溶け込ませることができるため、安全性が高い。殺菌・消毒・洗浄効果を高めるために、酸性水はｐＨ４以下の強酸性水であることが好ましく、アルカリ性水はｐＨ１０以上の強アルカリ性水であることが好ましい。
【００１５】
本発明に係る洗浄水の消臭方法は、電解質溶液を電気分解して酸性水とアルカリ性水とを生成し、吐出口から前記酸性水を吐出するとき、吐出する酸性水を包囲するよう前記アルカリ性水の消臭用ミストを噴霧してもよい。この場合、電気分解により生成された酸性水およびアルカリ性水を殺菌、消毒、洗浄に利用することができる。また、酸性水を吐出するとき、酸性水を包囲するようアルカリ性水を噴霧することにより、酸性水の不快な塩素臭を抑えることができる。このように、電気分解により生成された酸性水およびアルカリ性水を利用して、快適かつ安全に洗浄を行うことができる。
【００１６】
本発明に係る洗浄水の消臭方法は、吐出口から吐出される洗浄水に沿って前記洗浄水と前記洗浄水の使用者とを隔てるよう消臭用ミストを噴霧する方法であってもよい。この場合、吐出口から吐出される強酸性水または水道水の臭いを使用者に対して消臭用ミストで遮り、塩素臭を抑制することができる。
【発明の効果】
【００１７】
本発明によれば、洗浄水の不快な臭いを抑えることができる洗浄装置および洗浄水の消臭方法を提供することができる。
【図面の簡単な説明】
【００１８】
【図１】本発明の実施の形態の洗浄装置を示す概略構成図である。
【図２】図１に示す洗浄装置の（ａ）吐出口およびミスト排出部を示す斜視図、（ｂ）ミスト排出部の変形例を示す斜視図、（ｃ）ミスト排出部の他の変形例を示す断面図である。
【発明を実施するための形態】
【００１９】
以下、図面に基づき本発明の実施の形態について説明する。
図１および図２は、本発明の実施の形態の洗浄装置および洗浄水の消臭方法を示している。
図１に示すように、洗浄装置１は、電解水生成手段２と酸性容器３とアルカリ容器４とミスト容器５と吐出部６とミスト排出部７とを有している。なお、本発明の実施の形態の洗浄水の消臭方法は、洗浄装置１により実施することができる。
【００２０】
図１に示すように、電解水生成手段２は、電解槽から成り、水道水を供給可能に水栓１１を介して水道管８に接続されている。電解水生成手段２は、水道管８から供給された水道水と塩化ナトリウムなどの電解質とを混合した塩化物塩水溶液を電気分解するよう構成されている。電解水生成手段２は、陽極側で強酸性水を生成し、陰極側で強アルカリ性水を生成するようになっている。
【００２１】
酸性容器３は、電解水生成手段２の陽極側に接続され、電解水生成手段２で生成された強酸性水を受けて貯水可能になっている。アルカリ容器４は、電解水生成手段２の陰極側に接続され、電解水生成手段２で生成された強アルカリ性水を受けて貯水可能になっている。ミスト容器５は、アルカリ容器４に接続され、アルカリ容器４に貯水された強アルカリ性水の一部を受けて、強アルカリ性水の消臭用ミストを生成するよう構成されている。
【００２２】
図１および図２（ａ）に示すように、吐出部６は、管状を成し、先端に吐出口６ａを有している。また、吐出部６は、開閉用の水栓１２を有している。吐出部６は、それぞれバルブ１３，１４，１５を介して酸性容器３、アルカリ容器４および水道管８に接続されている。吐出部６は、各バルブ１３，１４，１５の操作により、酸性容器３、アルカリ容器４または水道管８に選択的に接続されて、吐出口６ａから酸性容器３内の強酸性水、アルカリ容器４内の強アルカリ性水、または水道水を吐出可能になっている。なお、各バルブ１３，１４，１５は、手動で操作可能であってもよく、使用する水の種類をボタン等で選択することにより自動で操作可能であってもよい。また、コンピュータによるプログラミング等により、所定の時間で自動切替可能になっていてもよい。
【００２３】
ミスト排出部７は、二重管状を成し、ミスト容器５に接続されている。ミスト排出部７は、内部に吐出部６が挿入されて、吐出部６の外側面を覆うよう取り付けられている。ミスト排出部７は、吐出部６の水栓１２や各バルブ１３，１４，１５の動きに連動して、モータなどの駆動源によりミスト容器５内の強アルカリ性水の消臭用ミストを噴霧するよう構成されている。ミスト排出部７は、吐出口６ａから強酸性水または水道水が吐出されるとき、強酸性水または水道水の周囲に、強酸性水または水道水を包囲するよう強アルカリ性水の消臭用ミストを噴霧するようになっている。
なお、ミスト排出部７は、ミスト容器５に接続される代わりに直接、アルカリ容器４に接続され、アルカリ容器４に貯水された強アルカリ性水の一部を受けて、強アルカリ性水の消臭用ミストを噴霧するようになっていてもよい。
【００２４】
次に、作用について説明する。
洗浄装置１は、電解水生成手段２による電気分解で生成された強酸性水および強アルカリ性水を利用して殺菌、消毒、洗浄を行うことができる。例えば、まず、手や医療器具などの被洗浄物を強アルカリ性水で洗浄する。これにより、酸性下で凝固する血液などのタンパク質や脂質などを分解することができる。強アルカリ性水で洗浄後、被洗浄物を強酸性水で洗浄し、殺菌を行う。これにより、効果的に殺菌、消毒、洗浄を行うことができる。なお、より洗浄効果を高めるために、強アルカリ性水や強酸性水による洗浄の前後に、水道水で洗浄を行ってもよい。
【００２５】
洗浄装置１は、吐出口６ａから吐出される強酸性水または水道水の周囲に、強酸性水または水道水を包囲するようミスト排出部７から強アルカリ性水の消臭用ミストを噴霧することにより、強酸性水や水道水に含まれる塩素による塩素臭を抑えることができる。また、水道水や強酸性水から有毒な塩素ガスが発生したときにも、その塩素ガスを強アルカリ性水に溶け込ませることができるため、安全性が高い。
【００２６】
ミスト排出部７が、強酸性水または水道水の吐出に連動して、強アルカリ性水の消臭用ミストを噴霧するよう構成されているため、強アルカリ性水の消臭用ミストを無駄に噴霧することなく、効率的に強酸性水や水道水の臭いを抑えることができる。このように、洗浄装置１は、電気分解により生成された強酸性水および強アルカリ性水を効率よく利用して、快適かつ安全に洗浄を行うことができる。
【００２７】
なお、図２（ｂ）に示すように、ミスト排出部７は、吐出部６の外側面の外周全体ではなく、外周の一部を覆うよう設けられて、ミスト排出部７から消臭用ミストが使用者と吐出部６とを隔てるよう噴霧される構成から成っていてもよい。また、図２（ｃ）に示すように、ミスト排出部７は、吐出口６ａの周縁のみを覆うようになっていてもよい。この場合にも、吐出口６ａから吐出される強酸性水または水道水の臭いを使用者に対して消臭用ミストで遮り、塩素臭を抑制することができる。
【符号の説明】
【００２８】
１  洗浄装置
２  電解水生成手段
３  酸性容器
４  アルカリ容器
５  ミスト容器
６  吐出部
６ａ  吐出口
７  ミスト排出部
８  水道管
１１，１３，１４，１５  バルブ
１２  水栓
【図１】
2010201081.tif 000003
【図２】
2010201081.tif 000004
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
電解質溶液を電気分解して酸性水とアルカリ性水とを生成する電解水生成手段と、
前記電解水生成手段により生成された前記酸性水を貯水するための酸性容器と、
前記電解水生成手段により生成された前記アルカリ性水を貯水するためのアルカリ容器と、
前記アルカリ容器に接続され、前記アルカリ容器内のアルカリ性水の一部を受けて消臭用ミストを生成するミスト容器と、
前記酸性容器または前記アルカリ容器に選択的に接続されて、前記酸性容器内の酸性水または前記アルカリ容器内のアルカリ性水を吐出可能な吐出口と、
前記吐出口から吐出される前記酸性水を包囲するよう前記ミスト容器内の消臭用ミストを噴霧可能なミスト排出部とを、
有することを特徴とする洗浄装置。
【請求項２】
前記ミスト排出部は、前記吐出口からの前記酸性水の吐出に連動して、前記消臭用ミストを噴霧するよう構成されていることを、特徴とする請求項１記載の洗浄装置。
【請求項３】
電解質溶液を電気分解して酸性水とアルカリ性水とを生成し、吐出口から前記酸性水を吐出するとき、吐出する酸性水を包囲するよう前記アルカリ性水の消臭用ミストを噴霧することを、特徴とする洗浄水の消臭方法。
【請求項４】
前記吐出口からの前記酸性水の吐出に連動して、前記消臭用ミストを噴霧することを、特徴とする請求項３記載の洗浄水の消臭方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
上記目的を達成するために、本発明に係る洗浄装置は、電解質溶液を電気分解して酸性水とアルカリ性水とを生成する電解水生成手段と、前記電解水生成手段により生成された前記酸性水を貯水するための酸性容器と、前記電解水生成手段により生成された前記アルカリ性水を貯水するためのアルカリ容器と、前記アルカリ容器に接続され、前記アルカリ容器内のアルカリ性水の一部を受けて消臭用ミストを生成するミスト容器と、前記酸性容器または前記アルカリ容器に選択的に接続されて、前記酸性容器内の酸性水または前記アルカリ容器内のアルカリ性水を吐出可能な吐出口と、前記吐出口から吐出される前記酸性水を包囲するよう前記ミスト容器内の消臭用ミストを噴霧可能なミスト排出部とを、有することを特徴とする。
【手続補正７】
【補正対象書類名】明細書
【補正対象項目名】００１１
【補正方法】変更
【補正の内容】
【００１１】
本発明に係る洗浄装置は、電気分解により生成された酸性水およびアルカリ性水を殺菌、消毒、洗浄に利用することができる。また、酸性水を吐出するとき、その酸性水を包囲するようアルカリ性水の消臭用ミストを噴霧することにより、酸性水の不快な塩素臭を抑えることができる。このように、電気分解により生成された酸性水およびアルカリ性水を効率よく利用して、快適かつ安全に洗浄を行うことができる。
本発明に係る洗浄装置で、前記ミスト排出部は、前記吐出口からの前記酸性水の吐出に連動して、前記消臭用ミストを噴霧するよう構成されていることが好ましい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明に係る洗浄水の消臭方法は、電解質溶液を電気分解して酸性水とアルカリ性水とを生成し、吐出口から前記酸性水を吐出するとき、吐出する酸性水を包囲するよう前記アルカリ性水の消臭用ミストを噴霧することを、特徴とする。
本発明に係る洗浄水の消臭方法は、本発明に係る洗浄装置により好適に実施することができる。本発明に係る洗浄水の消臭方法は、電気分解により生成された酸性水およびアルカリ性水を殺菌、消毒、洗浄に利用することができる。また、酸性水を吐出するとき、酸性水を包囲するようアルカリ性水を噴霧することにより、酸性水の不快な塩素臭を抑えることができる。このように、電気分解により生成された酸性水およびアルカリ性水を利用して、快適かつ安全に洗浄を行うことができる。
本発明に係る洗浄水の消臭方法は、前記吐出口からの前記酸性水の吐出に連動して、前記消臭用ミストを噴霧することが好ましい。
【手続補正１２】
【補正対象書類名】明細書
【補正対象項目名】００１６
【補正方法】削除
【補正の内容】